(57)【要約】【課題】少ない作業数で容易にコルゲートチューブを所定の配索経路に沿って構造物に配索固定することができるコルゲートチューブ配索部材を提供する。【解決手段】コルゲートチューブ配索部材１は、所定の配索経路に沿って筒状に延びたケース６と、このケース６内の一端部に設けられた固定部７と、を有している。ケース６は、ケース本体４及び蓋体５で構成され、コルゲートチューブ２を収容する。固定部７は、ケース本体４及び蓋体５の内表面に設けられたリブ４３，５３で構成されており、コルゲートチューブ２の外周の凹部２ｂに侵入することで、コルゲートチューブ２が軸方向に移動することを規制するとともにコルゲートチューブ２を固定する。【選択図】図１
2009291029.tif 000002
【特許請求の範囲】
【請求項１】
電線が挿通された蛇腹状のコルゲートチューブを所定の配索経路に沿って構造物に配索固定するコルゲートチューブ配索部材において、
前記配索経路に沿って筒状に延び、前記コルゲートチューブを収容するケースと、該ケースの一箇所に設けられ、前記コルゲートチューブが軸方向に移動することを規制するとともに前記コルゲートチューブを固定する固定部と、を有していることを特徴とするコルゲートチューブ配索部材。
【請求項２】
前記固定部が、前記ケース内の一端部または他端部に設けられていることを特徴とする請求項１に記載のコルゲートチューブ配索部材。
【請求項３】
前記ケースが、ケース本体と、該ケース本体の開口部を覆う蓋体と、で構成され、これらケース本体及び蓋体の内表面に、前記コルゲートチューブの外周の凹部に侵入する前記固定部としてのリブが設けられていることを特徴とする請求項１または請求項２に記載のコルゲートチューブ配索部材。
【請求項４】
前記ケースに、前記構造物に取り付けられる取付部が複数設けられていることを特徴とする請求項１ないし請求項３のうちいずれか１項に記載のコルゲートチューブ配索部材。
【発明の詳細な説明】
【技術分野】
【０００１】
本発明は、電線が挿通されたコルゲートチューブを所定の配索経路に沿って車体等の構造物に配索固定するコルゲートチューブの配索部材に関するものである。
【背景技術】
【０００２】
種々の電子機器が搭載される自動車には、これら電子機器に電力や信号を伝送する複数の電線が配索されている。これら複数の電線は、互いに束ねられ、かつ、端末にコネクタが取り付けられている。前記コネクタは、前記電子機器のコネクタなどに結合される。また、前述した電線を損傷から保護するために、コルゲートチューブが用いられることがある。このコルゲートチューブは、蛇腹状の筒状に形成されており、その内側に、互いに束ねられた複数の電線を通す。
【０００３】
図６は、従来のコルゲートチューブを配索固定する配索固定構造を示す斜視図である。同図において、符号１０２は前述したコルゲートチューブであり、符号１０３は、自動車の車体に取り付けられる構造物としてのブラケットであり、符号１０１は、前記コルゲートチューブ１０２を前記ブラケット１０３に固定する固定部材である。また、符号２００は、前記車体に取り付けられる電子機器である。
【０００４】
上記固定部材１０１は、コルゲートチューブ１０２を挟持する格好で該コルゲートチューブ１０２を保持する保持部１０４と、上記ブラケット１０３の係止爪１３１に係止してブラケット１０３に取り付けられる取付部１０５と、を有している。また、この固定部材１０１は、コルゲートチューブ１０２を電子機器２００に接触させることなく所定の配索経路に沿って配索固定するために、コルゲートチューブ１０２の複数個所に取り付けられる。また、図示例では、コルゲートチューブ１０２の互いに間隔をあけた２箇所に固定部材１０１が取り付けられる。
【０００５】
このように、コルゲートチューブ１０２を所定の配索経路に沿って配索固定する従来の配索固定構造においては、複数の固定部材１０１を、コルゲートチューブ１０２の所定の位置に取り付けることが必要であった。また、コルゲートチューブ１０２の所定の位置に取り付けられた複数の固定部材１０１の取付部１０５をブラケット１０３の複数の係止爪１３１に係止させることが必要であった（特許文献１を参照。）。
【特許文献１】特開２００７−１４３３０９号公報
【発明の開示】
【発明が解決しようとする課題】
【０００６】
しかしながら、従来のコルゲートチューブ１０２の配索固定構造においては、前述したように、複数の固定部材１０１を、コルゲートチューブ１０２の所定の位置にそれぞれ位置決めして取り付けなければならず、作業数が多くなってしまうという問題があった。また、コルゲートチューブ１０２の所定の位置に取り付けられた複数の固定部材１０１の取付部１０５をブラケット１０３の複数の係止爪１３１にそれぞれ係止させなければならず、作業数が多くなってしまうという問題があった。さらに、複数の固定部材１０１同士の間隔が狭い場合、取付部１０５を係止爪１３１に係止させる作業自体が難作業であるという問題があった。さらに、複数の固定部材１０１をコルゲートチューブ１０２の所定の位置に取り付ける際に組み付け誤差が生じることがあり、そのために、取付部１０５を係止爪１３１に係止させる際に、取付部１０５と係止爪１３１との間に位置ずれが生じ、取付部１０５を係止爪１３１に係止させるのが困難なことがあるという問題があった。
【０００７】
したがって、本発明の目的は、少ない作業数で容易にコルゲートチューブを所定の配索経路に沿って構造物に配索固定することができるコルゲートチューブ配索部材を提供することにある。
【課題を解決するための手段】
【０００８】
上記目的を達成するために、請求項１に記載された発明は、電線が挿通された蛇腹状のコルゲートチューブを所定の配索経路に沿って構造物に配索固定するコルゲートチューブ配索部材において、前記配索経路に沿って筒状に延び、前記コルゲートチューブを収容するケースと、該ケースの一箇所に設けられ、前記コルゲートチューブが軸方向に移動することを規制するとともに前記コルゲートチューブを固定する固定部と、を有していることを特徴とするコルゲートチューブ配索部材である。
【０００９】
請求項２に記載された発明は、請求項１に記載された発明において、前記固定部が、前記ケース内の一端部または他端部に設けられていることを特徴とするものである。
【００１０】
請求項３に記載された発明は、請求項１または請求項２に記載された発明において、前記ケースが、ケース本体と、該ケース本体の開口部を覆う蓋体と、で構成され、これらケース本体及び蓋体の内表面に、前記コルゲートチューブの外周の凹部に侵入する前記固定部としてのリブが設けられていることを特徴とするものである。
【００１１】
請求項４に記載された発明は、請求項１ないし請求項３のうち１項に記載された発明において、前記ケースに、前記構造物に取り付けられる取付部が複数設けられていることを特徴とするものである。
【発明の効果】
【００１２】
請求項１に記載された本発明によれば、コルゲートチューブ配索部材が、所定の配索経路に沿って筒状に延び、コルゲートチューブを収容するケースと、該ケースの一箇所に設けられ、前記コルゲートチューブが軸方向に移動することを規制するとともに前記コルゲートチューブを固定する固定部と、を有しているので、１つのコルゲートチューブ配索部材でコルゲートチューブを所定の配索経路に沿って構造物に配索固定することができるので、ケースをコルゲートチューブに位置決めする際に、固定部とコルゲートチューブの所定の位置との一箇所だけを位置決めすれば良く、それらのために、少ない作業数で容易にコルゲートチューブを所定の配索経路に沿って構造物に配索固定することができる。
【００１３】
請求項２に記載された本発明によれば、前記固定部が、前記ケース内の一端部または他端部に設けられているので、これら一端部または他端部とコルゲートチューブの所定の位置とを位置決めすることで、固定部を直接視認しなくてもケースをコルゲートチューブに容易に位置決めすることができる。よって、少ない作業数で容易にコルゲートチューブを所定の配索経路に沿って構造物に配索固定することができる。
【００１４】
請求項３に記載された本発明によれば、前記ケースが、ケース本体と、該ケース本体の開口部を覆う蓋体と、で構成され、これらケース本体及び蓋体の内表面に、前記コルゲートチューブの外周の凹部に侵入する前記固定部としてのリブが設けられているので、ケース本体のリブを前記凹部に侵入させるようにしてこのケース本体をコルゲートチューブに重ね、そして、前記ケース本体に蓋体を取り付けるとともにこの蓋体のリブを前記凹部に侵入させるようにしてこの蓋体をコルゲートチューブに重ねることで、少ない作業数で容易にコルゲートチューブをケース内に収容できるとともにケースに固定することができる。即ち、非常に容易にコルゲートチューブにコルゲートチューブ配索部材を取り付けることができる。よって、少ない作業数で容易にコルゲートチューブを所定の配索経路に沿って構造物に配索固定することができる。
【００１５】
請求項４に記載された本発明によれば、前記ケースに、前記構造物に取り付けられる取付部が複数設けられているので、１つの取付部を構造物に対して位置決めすることで同時に他の取付部をも構造物に対して位置決めすることができ、かつ、複数の取付部の構造物に対する位置精度が高精度に保たれ、そのために、コルゲートチューブ配索部材の構造物への取り付け作業が非常に容易になる。よって、少ない作業数で容易にコルゲートチューブを所定の配索経路に沿って構造物に配索固定することができる。
【発明を実施するための最良の形態】
【００１６】
本発明の一実施形態にかかるコルゲートチューブの配索部材を図１ないし図５を参照して説明する。図１は本発明の一実施形態に係るコルゲートチューブ配索部材を示す斜視図である。図２は図１に示されたコルゲートチューブ配索部材のケース本体を示す斜視図である。図３は図２に示されたケース本体にコルゲートチューブが収容された状態を示す斜視図である。図４は図１中のＡ−Ａ線に沿った断面図である。図５は図１中のＢ−Ｂ線に沿った断面図である。
【００１７】
本発明のコルゲートチューブ配索部材１は、図１に示すように、自動車のエンジンルーム内において、電線が挿通されたコルゲートチューブ２を、所定の配索経路に沿って電子機器２００等の周辺機器に接触させることなく、構造物としてのブラケット３に配索固定するものである。
【００１８】
上記電線は、導電性の芯線と該芯線を被覆した被覆部とを有した被覆電線である。また、本発明において、コルゲートチューブ２に挿通される電線は１本でも良く、複数であっても良い。
【００１９】
上記コルゲートチューブ２は、ポリプロピレン、ポリプロピレンなどを含んだ混和物、ラバー系、エチレン系などの合成樹脂で構成されており、断面が円形の筒状に形成されている。また、コルゲートチューブ２は、凸部２ａと、該凸部２ａよりも内外径が小さい凹部２ｂとが軸方向に交互に連続した蛇腹状に形成されて曲げ（弾性変形）自在となっている。このようなコルゲートチューブ２は、その内側に前述した電線を収容し、この電線を保護する。
【００２０】
上記ブラケット３は、前記自動車の車体に取り付けられており、表面上にコルゲートチューブ配索部材１のケース６を位置付ける本体部３０と、コルゲートチューブ配索部材１の複数の取付部８を取り付ける複数の係止爪３１と、を有している。また、本実施形態では、取付部８と係止爪３１とがそれぞれ２つずつ設けられている。
【００２１】
上記コルゲートチューブ配索部材１は、所定の配索経路に沿って筒状に延び、コルゲートチューブ２を収容する合成樹脂製のケース６と、このケース６内の長手方向の一端部、即ちケース６の一箇所、に設けられた固定部７と、を有している。また、本実施形態におけるケース６は、外郭が角筒状であり、直線状に延びている。また、ケース６は、ケース本体４と、蓋体５とで構成されている。
【００２２】
上記ケース本体４は、図２に示すように、平面形状が細長い長方形の底板４０と、この底板４０の幅方向の両端部からそれぞれ立設した一対の側板４１と、を有し、断面形状がコ字型の形状となっている。また、「ケース本体４の開口部」とは、一対の側板４１の底板４０から離れた端部間を意味する。また、それぞれの側板４１の底板４０から離れた端部の外表面には、複数のロック受け部４２が互いに間隔をあけて設けられている。これらロック受け部４２は、蓋体５に設けられたロック爪５２と係止する。また、一対の側板４１のうちの一方の外表面には、上記係止爪３１と係止する取付部８が複数設けられている。これら取付部８は、本実施形態では２つ設けられており、側板４１の長手方向、即ちケース本体４の長手方向、に沿った両端部にそれぞれ設けられている。
【００２３】
上記取付部８は、図１及び図５に示すように、側板４１の立設方向に沿って係止爪３１が侵入する空間を有する枠状の枠状部８１と、前記空間内に位置付けられた係止板部８２と、を有している。この係止板部８２は、枠状部８１の内表面に連なり、側板４１の立設方向に沿って板状に延びた板部８２ａと、板部８２ａの外表面に設けられた突起８２ｂと、を有している。このような取付部８は、枠状部８１の内表面と板部８２ａとの間に係止爪３１を位置付けるとともに、突起８２ｂが係止爪３１に設けられた穴に嵌まることで係止爪３１と係止する。また、取付部８が係止爪３１と係止することにより、コルゲートチューブ配索部材１がブラケット３に取り付けられる。なお、図５においては、ブラケット３の記載を省略している。
【００２４】
上記蓋体５は、図１に示すように、平面形状が底板４０と等しい板状に形成されている。この蓋体５の外縁部には、上記ロック受け部４２と係止する複数のロック爪５２が設けられている。そして、蓋体５がケース本体４の前記開口部を塞ぐ格好でケース本体４に重ねられ、かつ、複数のロック爪５２が複数のロック受け部４２と係止することで、ケース本体４と蓋体５とが互いに固定される。
【００２５】
上記固定部７は、ケース本体４の内表面に設けられたリブ４３と、蓋体５の内表面に設けられたリブ５３と、で構成されている。
【００２６】
上記リブ４３は、図２及び図４に示すように、ケース本体４内の長手方向の一端部に設けられているとともに、一方の側板４１の内表面上を前記開口部側の端部から底板４０に向かって直線状に延び、底板４０の内表面上を一方の側板４１から他方の側板４１に向かって直線状に延び、そして、他方の側板４１の内表面上を底板４０側の端部から前記開口部側の端部に向かって直線状に延びている。また、このリブ４３は、コルゲートチューブ２の外周の凹部２ｂに沿うように設けられている。なお、図４においては、ブラケット３の記載を省略している。
【００２７】
上記リブ５３は、図１及び図４に示すように、蓋体５の長手方向の一端部における内表面上に設けられているとともに、蓋体５の幅方向に沿って直線状に延びている。また、このリブ５３は、コルゲートチューブ２の外周の凹部２ｂに沿うように設けられている。
【００２８】
前述したリブ４３とリブ５３とは、ケース本体４と蓋体５とが互いに固定された状態で、図４に示すように、略円形の穴を構成する。また、この穴の直径は、コルゲートチューブ２の凸部２ａにおける外径よりも小さく、凹部２ｂにおける内径よりも大きい。これらリブ４３，５３は、ケース本体４と蓋体５とが互いに固定された状態で、コルゲートチューブ２の外周の凹部２ｂに侵入することで、コルゲートチューブ２が軸方向に移動することを規制するとともに径方向に沿って移動することを規制する。即ちコルゲートチューブ２を固定する。また、本実施形態において、リブ４３，５３は、ケース６の長手方向に沿って互いに間隔をあけて３つ設けられている。
【００２９】
前述した構成のコルゲートチューブ配索部材１は、ケース６内にコルゲートチューブ２を収容すること、即ちコルゲートチューブ２の外周をケース６によって包囲すること、によって、コルゲートチューブ２が径方向に移動して所定の配索経路から外れた位置に移動することを規制する。また、固定部７によって、コルゲートチューブ２が軸方向に移動することを規制する。
【００３０】
また、本発明において、ケース６の幅、即ち一対の側板４１間の間隔、は、図５に示すように、コルゲートチューブ２の凸部２ａにおける外径と等しいことが最も好ましいが、コルゲートチューブ２がケース６内においてその径方向に移動してもこのコルゲートチューブ２が所定の配索経路から外れた位置に移動しない場合に限り、ケース６の幅、即ち一対の側板４１間の間隔、は、前記外径よりも大きく形成されていても良い。
【００３１】
続いて、前述したコルゲートチューブ配索部材１を用いてコルゲートチューブ２を所定の配索経路に沿ってブラケット３に配索固定する手順について説明する。
【００３２】
まず、ケース本体４と蓋体５とを互いに分離させた状態にしておく。そして、コルゲートチューブ２の所定の位置にケース本体４の一端部を合わせてこのケース本体４をコルゲートチューブ２に重ね、コルゲートチューブ２の凹部２ｂにリブ４３を侵入させる。そして、このケース本体４に蓋体５を取り付けるとともにリブ５３を凹部２ｂに侵入させるようにしてこの蓋体５をコルゲートチューブ２に重ねる。なお、本実施形態では、ロック爪５２をロック受け部４２に係止させることでケース本体４と蓋体５との位置決めがなされるとともに、コルゲートチューブ２の凹部２ｂと蓋体５のリブ５３との位置決めがなされるので、少ない作業数で非常に容易にコルゲートチューブ２にケース本体４及び蓋体５を取り付けることができる。
【００３３】
そして、コルゲートチューブ２の所定の位置に取り付けられたコルゲートチューブ配索部材１をブラケット３の上方に位置付け、２つの取付部８のうちの１つと、２つの係止爪３１のうちの１つを互いに位置決めする。このことにより、他の取付部８と他の係止爪３１との位置決めも同時になされる。そして、取付部８を側壁４１の立設方向に沿って係止爪３１に近付けることにより、各取付部８と各係止爪３１とが互いに係止して、コルゲートチューブ配索部材１がブラケット３に取り付けられる。こうしてコルゲートチューブ２を所定の配索経路に沿ってブラケット３に配索固定する。
【００３４】
このように、本発明では、１つのコルゲートチューブ配索部材１でコルゲートチューブ２を所定の配索経路に沿ってブラケット３に配索固定することができるので、ケース６をコルゲートチューブ２に位置決めする際に、ケース本体４のリブ４３とコルゲートチューブ２の所定の位置との一箇所だけを位置決めすれば良く、それらのために、少ない作業数で容易にコルゲートチューブ２を所定の配索経路に沿ってブラケット３に配索固定することができる。
【００３５】
また、本発明では、固定部７がケース６の一端部に設けられているので、固定部７即ちリブ４３，５３がケース６の内表面に設けられている場合でも、ケース６の一端部とコルゲートチューブ２の所定の位置とを位置決めすることで、これらリブ４３，５３を直接視認しなくてもケース６をコルゲートチューブ２に容易に位置決めすることができる。よって、少ない作業数で容易にコルゲートチューブ２を所定の配索経路に沿ってブラケット３に配索固定することができる。
【００３６】
さらに、本発明では、ケース６即ちケース本体４に、ブラケット３の係止爪３１に取り付けられる取付部８が複数設けられているので、１つの取付部８を１つの係止爪３１に対して位置決めすることで同時に他の取付部８をも各係止爪３１に対して位置決めすることができ、かつ、複数の取付部８の各係止爪３１に対する位置精度が高精度に保たれ、そのために、コルゲートチューブ配索部材１のブラケット３への取り付け作業が非常に容易になる。よって、少ない作業数で容易にコルゲートチューブ２を所定の配索経路に沿ってブラケット３に配索固定することができる。
【００３７】
また、上述した実施形態では、ケース６の一端部に固定部７が設けられていたが、本発明では、ケース６の他端部に固定部７が設けられていても良い。即ち、本発明では、ケース６の一端部から他端部における一箇所に固定部７が設けられていれば良い。
【００３８】
また、上述した実施形態では、ケース６が所定の配索経路に沿って直線状の筒状に延びた形状であったが、本発明では、前記ケースが所定の配索経路に沿ってＬ字状やＳ字状の筒状に延びた形状であっても良い。
【００３９】
また、上述した実施形態では、ケース本体４と蓋体５とが互いに別体で設けられていたが、ケース本体４と蓋体５とは、ヒンジを介して回動自在に連結されていても良い。
【００４０】
なお、前述した実施形態は、本発明の代表的な形態を示したに過ぎず、本発明は、実施形態に限定されるものではない。即ち、本発明の骨子を逸脱しない範囲で種々変形して実施することができる。
【図面の簡単な説明】
【００４１】
【図１】本発明の一実施形態に係るコルゲートチューブ配索部材を示す斜視図である。
【図２】図１に示されたコルゲートチューブ配索部材のケース本体を示す斜視図である。
【図３】図２に示されたケース本体にコルゲートチューブが収容された状態を示す斜視図である。
【図４】図１中のＡ−Ａ線に沿った断面図である。
【図５】図１中のＢ−Ｂ線に沿った断面図である。
【図６】従来のコルゲートチューブを配索固定する配索固定構造を示す斜視図である。
【符号の説明】
【００４２】
１  コルゲートチューブ配索部材
２  コルゲートチューブ
２ｂ  凹部
３  ブラケット（構造物）
４  ケース本体
５  蓋体
６  ケース
７  固定部
８  取付部
４３，５３  リブ
【図１】
2009291029.tif 000003
【図２】
2009291029.tif 000004
【図３】
2009291029.tif 000005
【図４】
2009291029.tif 000006
【図５】
2009291029.tif 000007
【図６】
2009291029.tif 000008